【手続補正書】
【提出日】平成16年4月14日(2004.4.14)
【手続補正１】
【補正対象書類名】明細書
【補正対象項目名】特許請求の範囲
【補正方法】変更
【補正の内容】
【特許請求の範囲】
【請求項１】
端末から印刷すべき情報を受信し、所定の印刷手段により出力させる画像処理装置であって、
前記印刷すべき情報を解釈してイメージデータを発生するイメージ発生手段と、
発生したイメージデータを所定の記憶手段に格納する格納手段と、
プレビューの指示があった場合、前記記憶手段に格納されたイメージデータを表示し、印刷指示があった場合には前記記憶手段に格納されたイメージデータを前記印刷手段に出力する制御手段と
を備えることを特徴とする画像処理装置。
【請求項２】
前記プレビュー及び印刷の指示は端末から行われ、プレビューの表示は端末にイメージデータを転送することで行われることを特徴とする請求項第１項に記載の画像処理装置。
【請求項３】
前記画像処理装置は、インターネットで用いられるプロトコルで接続されたＷＷＷサーバであることを特徴とする請求項第１項に記載の画像処理総理。
【請求項４】
前記格納手段はイメージデータを前記記憶手段に格納する際にファイルとして格納すると共に、一連の前記印刷すべき情報に基づき、プレビュー表示するか否か、及び印刷するか否かを選択するためのハイパーテキストファイルを作成することを特徴とする請求項第１項に記載の画像処理装置。
【請求項５】
前記イメージ発生手段は、ページ単位のビットマップイメージデータを発生することを特徴とする請求項第１項に記載の印刷制御装置。
【請求項６】
前記画像処理装置はネットワークに接続された複写機であることを特徴とする請求項第１項乃至第５項のいずれか１項に記載の画像処理装置。
【請求項７】
端末から印刷すべき情報を受信し、所定の印刷手段により主強くさせる画像処理方法であって、
前記印刷すべき情報を解釈してイメージデータを発生するイメージ発生工程と、
発生したイメージデータを所定の記憶手段に格納する格納工程と、
プレビューの指示があった場合、前記記憶手段に格納されたイメージデータを表示し、印刷指示があった場合には前記記憶手段に格納されたビットマップデータを前記印刷手段に出力する制御工程と
を備えることを特徴とする画像処理方法。
【請求項８】
コンピュータが読み込み実行することで、端末から印刷すべき情報を受信し、所定の印刷手段でもって印刷させる画像処理装置として機能させるプログラムコードを格納した記憶媒体であって、
前記印刷すべき情報を解釈してイメージデータを発生するイメージ発生手段と、
発生したイメージデータを所定の記憶手段に格納する格納手段と、
プレビューの指示があった場合、前記記憶手段に格納されたイメージデータを表示し、印刷指示があった場合には前記記憶手段に格納されたイメージデータを前記印刷手段に出力する制御手段
として機能するプログラムコードを格納したことを特徴とする記憶媒体。
【請求項９】
請求項第１項乃至第６項のいずれか１項の画像制御装置に接続され、前記端末として動作する情報処理装置であって、
印刷すべき情報を前記印刷制御装置に転送する転送手段と、
操作者からの印刷プレビューの指示があった場合、前記印刷制御装置における記憶手段に記憶されたイメージデータの転送を要求し、表示するプレビュー表示手段と、
操作者からの印刷指示があった場合、前記印刷制御装置における記憶手段に記憶されたイメージデータの前記印刷手段への出力指示を行なう印刷指示手段と
を備えることを特徴とする情報処理装置。
【請求項１０】
請求項第１項乃至第６項のいずれか１項の画像処理装置に接続され、前記端末として動作する情報処理装置の制御方法であって、
印刷すべき情報を前記印刷制御装置に転送する転送工程と、
操作者からの印刷プレビューの指示があった場合、前記印刷制御装置における記憶手段に記憶されたイメージデータの転送を要求し、表示するプレビュー表示工程と、
操作者からの印刷指示があった場合、前記印刷制御装置における記憶手段に記憶されたイメージデータの前記印刷手段への出力指示を行なう印刷指示工程と
を備えることを特徴とする情報処理装置の制御方法。
【請求項１１】
コンピュータが読み込み実行することで、請求項第１項乃至第６項のいずれか１項の画像処理装置に接続され、前記端末として動作さるプログラムを格納した記憶媒体であって、
印刷すべき情報を前記印刷制御装置に転送する転送手段と、
操作者からの印刷プレビューの指示があった場合、前記印刷制御装置における記憶手段に記憶されたイメージデータの転送を要求し、表示するプレビュー表示手段と、
操作者からの印刷指示があった場合、前記印刷制御装置における記憶手段に記憶されたイメージデータの前記印刷手段への出力指示を行なう印刷指示手段
として機能するプログラムコードを格納したことを特徴とする記憶媒体。
【請求項１２】
ＷＷＷブラウザ機能を有する情報処理装置と通信可能な画像処理装置であって、
自装置の印刷手段で印刷対象となるデータを自装置の記憶手段に格納し、該データに基づいた表示処理が前記情報処理装置にて実行されたうえで、該データに基づいたプリント処理を前記印刷手段により実行可能にすることを特徴とする画像処理装置。
【請求項１３】
ＷＷＷサーバ機能を有する画像処理装置であって、
自装置の印刷手段で印刷対象となるデータを自装置の記憶手段に格納し、
ＷＷＷブラウザ機能を有する情報処理装置からのアクセスにより該データを前記情報処理装置に送信し、
該情報処理装置における該データのプレビュ処理が該ＷＷＷブラウザ機能を介して前記情報処理装置にて実行されたうえで、該データに基づいたプリント処理を前記印刷手段により実行可能にする
ことを特徴とする画像処理装置。
【請求項１４】
ＷＷＷブラウザ機能を有する情報処理装置と通信可能な画像処理装置であって、
自装置の印刷手段で印刷対象となるデータを該情報処理装置から受信し、
該データから自装置にて印刷する際のビットマップデータを生成し、
その生成したビットマップデータを該情報処理装置に転送し、
該ビットマップデータの表示処理が前記情報処理装置にて実行されたうえで、該ビットマップデータのプリント処理を前記印刷手段により実行可能にする
ことを特徴とする画像処理装置。
【請求項１５】
画像処理装置と通信可能なＷＷＷブラウザ機能を有する情報処理装置であって、
前記画像処理装置の記憶手段に格納されている印刷対象となるデータに関する表示処理を該情報処理装置に実行させる第１指示をユーザにより入力可能にする為の第１の表示を、前記情報処理装置の表示部に、実行させる表示制御手段を有し、
前記表示制御手段は、前記第１の表示を介して前記第１指示が入力されたうえで、前記画像処理装置の記憶手段に格納されている印刷対象となるデータに関する前記表示処理を、前記情報処理装置の前記表示部に、実行可能にし、
更に、前記表示制御手段は、前記第１の表示を介して前記第１指示が入力され、且つ、前記表示部にて前記表示処理が実行されたうえで、該表示処理がなされたデータのプリント処理を前記画像処理装置に実行させる第２指示をユーザにより入力可能にする為の第２の表示を、前記情報処理装置の表示部に、実行可能にし、
前記情報処理装置は、
前記第１の表示を介して前記第１指示が入力され、且つ、前記表示部にて前記表示処理が実行され、且つ、前記第２の表示を介して前記第２指示が入力されたうえで、該表示処理がなされたデータのプリント処理を前記画像処理装置の印刷手段により実行させる印刷制御手段を有することを特徴とする情報処理装置。
【請求項１６】
ＷＷＷブラウザ機能を有する情報処理装置と通信可能な画像処理装置であって、
該画像処理装置の記憶手段に格納されている印刷対象となるデータに関する表示処理を該情報処理装置に実行させる第１指示をユーザにより入力可能にする為の第１の表示が、前記情報処理装置の表示部で実行され、該第１の表示を介して、前記第１指示がユーザにより入力され、
且つ、
前記第１の表示を介して前記第１指示がユーザにより入力されたうえで、前記画像処理装置の記憶手段に格納されている印刷対象となるデータに関する前記表示処理が、前記情報処理装置の前記表示部で実行され、
且つ、
前記第１の表示を介して前記第１指示が入力され、前記表示部にて前記表示処理が実行されたうえで、前記情報処理装置の表示部における、該表示処理がなされたデータのプリント処理を前記画像処理装置に実行させる第２指示をユーザにより入力可能にする為の第２の表示を介して、該第２指示がユーザにより入力された場合に、前記記憶手段に格納されているデータのうちの前記表示処理がなされたデータのプリント処理を該画像処理装置の印刷手段により実行可能にすることを特徴とする画像処理装置。
【請求項１７】
ＷＷＷブラウザ機能を有する情報処理装置と通信可能な画像処理装置を有するシステムの制御方法であって、
前記画像処理装置の記憶手段に格納された印刷対象となるデータに基づいた表示処理が前記情報処理装置にて実行されたうえで、該データに基づいたプリント処理を前記画像処理装置の印刷手段により実行可能にすることを特徴とする制御方法。
【請求項１８】
ＷＷＷサーバ機能を有する画像処理装置を有するシステムの制御方法であって、
前記画像処理装置の記憶手段に格納された印刷対象となるデータを、ＷＷＷブラウザ機能を有する情報処理装置からのアクセスにより前記画像処理装置から前記情報処理装置に送信させ、該情報処理装置における該データのプレビュ処理が該ＷＷＷブラウザ機能を介して前記情報処理装置にて実行されたうえで、該データに基づいたプリント処理を前記画像処理装置の印刷手段により実行可能にすることを特徴とする制御方法。
【請求項１９】
ＷＷＷブラウザ機能を有する情報処理装置と通信可能な画像処理装置を有するシステムの制御方法であって、
前記情報処理装置から送信された印刷対象となるデータを、前記画像処理装置の記憶手段に格納させ、
該データから該画像処理装置にて印刷する際のビットマップデータを前記画像処理装置で生成させ、
その生成したビットマップデータを前記画像処理装置から該情報処理装置に転送させ、
該ビットマップデータの表示処理が前記情報処理装置にて実行されたうえで、該ビットマップデータのプリント処理を前記画像処理装置の印刷手段により実行可能にする
ことを特徴とする制御方法。
【請求項２０】
画像処理装置と通信可能なＷＷＷブラウザ機能を有する情報処理装置を有するシステムの制御方法であって、
前記画像処理装置の記憶手段に格納されている印刷対象となるデータに関する表示処理を該情報処理装置に実行させる第１指示をユーザにより入力可能にする為の第１の表示を、前記情報処理装置の表示部にて、実行可能にし、
前記第１の表示を介して前記第１指示が入力されたうえで、前記画像処理装置の記憶手段に格納されている印刷対象となるデータに関する前記表示処理を、前記情報処理装置の前記表示部にて、実行可能にし、
前記第１の表示を介して前記第１指示が入力され、且つ、前記表示部にて前記表示処理が実行されたうえで、該表示処理がなされたデータのプリント処理を前記画像処理装置に実行させる第２指示をユーザにより入力可能にする為の第２の表示を、前記情報処理装置の表示部にて、実行可能にし、
前記第１の表示を介して前記第１指示が入力され、且つ、前記表示部にて前記表示処理が実行され、且つ、前記第２の表示を介して前記第２指示が入力されたうえで、該表示処理がなされたデータのプリント処理を前記画像処理装置の印刷手段により実行させる
ことを特徴とする制御方法。
【請求項２１】
請求項２０記載の制御方法であって、
前記第１の表示を介して前記第１指示が入力され、且つ、前記表示部にて前記表示処理が実行されたうえで、前記画像処理装置の前記記憶手段に記憶されたデータのうちの該表示処理がなされたデータの削除処理を実行させる第３指示をユーザにより入力可能にする為の第３の表示を、前記情報処理装置の表示部にて、実行可能にし、
前記第１の表示を介して前記第１指示が入力され、且つ、前記表示部にて前記表示処理が実行され、且つ、前記第３の表示を介して前記第３指示が入力されたうえで、前記画像処理装置の前記記憶手段に記憶されたデータのうちの該表示処理がなされたデータの削除処理を実行可能にすることを特徴とする制御方法。
【請求項２２】
ＷＷＷブラウザ機能を有する情報処理装置と通信可能な画像処理装置を有するシステムの制御方法であって、
該画像処理装置の記憶手段に格納されている印刷対象となるデータに関する表示処理を該情報処理装置に実行させる第１指示をユーザにより入力可能にする為の第１の表示が、前記情報処理装置の表示部で実行され、該第１の表示を介して、前記第１指示がユーザにより入力され、
且つ、
前記第１の表示を介して前記第１指示がユーザにより入力されたうえで、前記画像処理装置の記憶手段に格納されている印刷対象となるデータに関する前記表示処理が、前記情報処理装置の前記表示部で実行され、
且つ、
前記第１の表示を介して前記第１指示が入力され、前記表示部にて前記表示処理が実行されたうえで、前記情報処理装置の表示部における、該表示処理がなされたデータのプリント処理を前記画像処理装置に実行させる第２指示をユーザにより入力可能にする為の第２の表示を介して、該第２指示がユーザにより入力された場合に、前記画像処理装置の前記記憶手段に格納されているデータのうちの前記表示処理がなされたデータのプリント処理を該画像処理装置の印刷手段により実行可能にする
ことを特徴とする制御方法。
【請求項２３】
請求項２２記載の制御方法であって、
前記第１の表示を介して前記第１指示が入力され、前記表示部にて前記表示処理が実行されたうえで、前記情報処理装置の表示部において、前記画像処理装置の前記記憶手段に記憶されたデータのうちの該表示処理がなされたデータの削除処理を実行させる第３指示をユーザにより入力可能にする為の第３の表示を介して、ユーザにより前記第３指示が入力された場合に、前記画像処理手段の前記記憶手段に格納されているデータのうちの前記表示処理がなされたデータの削除処理を実行可能にすることを特徴とする制御方法。
【請求項２４】
請求項１７乃至２３のいずれか１項に記載の制御方法であって、
前記画像処理装置は、ネットワークに接続可能であり、且つ、自装置の原稿読取手段で読取ったデータに基づいたプリント処理を前記印刷手段で実行させる複写機能と、外部から入力されたデータに基づいたプリント処理を前記印刷手段で実行させるプリント機能を有することを特徴とする制御方法。
【請求項２５】
請求項１７乃至２４のいずれか１項に記載の制御方法であって、
前記情報処理装置は、前記画像処理装置に離れて設置されている、コンピュータを含むことを特徴とする制御方法。
【請求項２６】
請求項１７乃至２４のいずれか１項に記載の制御方法であって、
前記情報処理装置は、前記画像処理装置自身が具備する表示装置を含むことを特徴とする制御方法。
【請求項２７】
請求項１７乃至２６のいずれか１項に記載の制御方法であって、
前記情報処理装置と前記画像処理装置とでデータ通信する際に、ＵＲＬを利用することを特徴とする制御方法。
【請求項２８】
請求項１７乃至２７のいずれか１項に記載の制御方法であって、
前記画像処理装置から前記情報処理装置に対して、ＨＴＭＬデータを転送したうえで、前記情報処理装置からの指示により、該ＨＴＭＬデータに関連するビットマップデータを前記画像処理装置から前記情報処理装置に対して転送し、該ビットマップデータの表示処理を前記情報処理装置の表示部にて実行可能にする、ことを特徴とする制御方法。
【請求項２９】
請求項１７乃至２８のいずれか１項に記載の制御方法を実現するプログラムを記憶したことを特徴とするコンピュータが読み取り可能な記憶媒体。
【手続補正２】
【補正対象書類名】明細書
【補正対象項目名】０００６
【補正方法】変更
【補正の内容】
【０００６】
本発明はかかる問題点に鑑みなされたものであり、プレビューと実際に印刷されるイメージとを一致させることを可能にする画像処理装置及び方法及び情報処理装置及び方法及び記憶媒体を提供しようとするものである。


【手続補正３】
【補正対象書類名】明細書
【補正対象項目名】０００７
【補正方法】変更
【補正の内容】
【０００７】
【課題を解決するための手段】
この課題を解決するため、例えば本発明の画像処理装置は以下の構成を備える。すなわち、
端末から印刷すべき情報を受信し、所定の印刷手段により出力させる画像処理装置であって、
前記印刷すべき情報を解釈してイメージデータを発生するイメージ発生手段と、
発生したイメージデータを所定の記憶手段に格納する格納手段と、
プレビューの指示があった場合、前記記憶手段に格納されたイメージデータを表示し、印刷指示があった場合には前記記憶手段に格納されたイメージデータを前記印刷手段に出力する制御手段とを備える。